(57)【要約】【課題】  部品点数を極力削減することにより構造が簡素化された焼網昇降機構を有するグリル装置を提供する。【解決手段】  本発明のグリル装置Ａは、被焼成物Ｆを調理するガスバーナ１１が内部に設けられ、前面に開口１７を有する焼成庫１０と、開口１７を開閉するグリル扉４と、開口１７を介して出し入れ自在に焼成庫１０内を移動するグリル皿１２と、グリル皿１２上に配置され被焼成物Ｆを載置するための焼網１３とを備えている。また、焼成庫１０後部の底面に乗り上げ部２７を設けると共に、グリル皿１２の前部に下方への凸部２１が形成されている。グリル皿１２を出し入れする際に、乗り上げ部２７と凸部２１とからなる焼網昇降機構によって、グリル皿１２と一緒に焼網１３が昇降する。【選択図】        図２
2005080928.tif 000002
【特許請求の範囲】
【請求項１】
被焼成物を調理するための熱源が内部に設けられ、前面に開口を有する焼成庫と、該開口を開閉するグリル扉と、焼成庫前面の開口を介して出し入れ自在に焼成庫内を移動するグリル皿と、該グリル皿上に配置され被焼成物を載置するための焼網とを備えたグリル装置において、上記焼成庫の底面後部に乗り上げ部が設けられ、かつグリル皿はその底面前部に下方への凸部が形成されていて、焼成庫内へのグリル皿の収納時にその後部が上記乗り上げ部に乗り上げると共に、上記凸部は焼成庫の底面前部に乗ることを特徴とするグリル装置。
【請求項２】
焼成庫に設けられた前記乗り上げ部の高さとグリル皿に形成された前記凸部の高さが、実質的に同一であることを特徴とする請求項１記載のグリル装置。
【請求項３】
前記グリル皿を出し入れするための把手の裏面側に後方に延びる連結部材が連結され、該連結部材にグリル皿を昇降自在に案内するガイド孔が穿設されて、上記把手による連結部材の前後方向の移動により、グリル皿が一緒に前後方向に移動すると共に連結部材に対しグリル皿が上下動することを特徴とする請求項１又は２記載のグリル装置。
【請求項４】
被焼成物を調理するための熱源が内部に設けられ、前面に開口を有する焼成庫と、該開口を開閉するグリル扉と、焼成庫前面の開口を介して出し入れ自在に焼成庫内を移動するグリル皿と、該グリル皿の上方に位置し被焼成物を載置するための焼網とを備えたグリル装置において、上記焼成庫の底面後部に乗り上げ部が設けられ、更にグリル扉の裏面側から後方に延びる焼網昇降枠の前端部がグリル扉裏面に固定され、該焼網昇降枠の後端部をグリル皿の後部係合部に焼網昇降枠が該係合部を中心に上下に揺動可能に係合させて、グリル扉の開閉により焼網昇降枠が上記乗り上げ部に乗り降りすることで上記焼網昇降枠が上下に揺動すると共に、焼網昇降枠上に上記焼網が配設されていることを特徴とするグリル装置。
【請求項５】
前記乗り上げ部は、手前側に下降傾斜する前傾斜部と水平な後水平部とからなることを特徴とする請求項１〜４のいずれかに記載のグリル装置。
【発明の詳細な説明】
【技術分野】
【０００１】
本発明は、焼成庫の内部で被焼成物を調理するグリル装置に関する。より詳しくは、本発明は、グリル皿を焼成庫の内外に出し入れする際に、被焼成物が載置される焼網を昇降可能に配置したグリル装置に関する。
【背景技術】
【０００２】
従来のグリル装置では、グリル皿を焼成庫内から充分に引き出した時、焼網上の被焼成物が焼成庫の開口内上端縁に接触しないように、焼網から焼成庫の上壁面までの間隔をある程度確保していた。そのため、グリル皿を焼成庫内に収納した時、焼成庫内の高温域から外れた位置に被焼成物が配置され、グリル装置の熱効率からみれば必ずしも満足すべきことではない。
このような従来のグリル装置における熱効率を改善するために、グリル皿と焼網との間に焼網昇降機構を介装したグリル焼網昇降装置が提案されている（特許文献１〜４）。これらの焼網昇降装置は、グリル皿を引き出した状態では焼網から焼成庫の開口内上端縁までの間隔が確保され、グリル皿を収納した状態では焼網が焼成庫内の高温域に押し上げられるようになっている。
【０００３】
より具体的には、特許文献１においては、奥側に向かって漸次高くなる傾斜面とそれから水平に延びる水平面とから構成される前後一対のガイド部材が焼成庫の左右内壁面に設けられ、グリル皿上に係止される昇降枠部材の左右両側板に前後一対の縦長溝が形成され、焼網を載置する支持枠の連結棒の両端部が内側から各縦長溝に遊挿され、その先端部に前後で幅の異なるガイド部材上を摺動する前後一対のガイドローラが取り付けられている。そして、グリル皿を焼成庫内に押し込んでいくと、ガイドローラがガイド部材の傾斜面を転動し、これに伴って、支持枠に載置された焼網が上昇するようになっている。
特許文献２では焼網昇降機構としてリンク機構が採用されている。リンク機構は、左右一対の支え板の前後端部に形成された支点を中心に回動する焼網支持枠と、支え板の長穴に焼網支持枠の規制軸が挿入され、この規制軸の端部に連結されて焼網を水平姿勢に保つ左右一対の連動アームと、焼成庫の奥側の下部左右壁面に形成された長溝孔に両端部がローラを介して遊挿され、中央部に上向きに曲げ形成された当接部を有する軸と、この軸の両端部が連結されるグリル扉開閉用連結レバーとからなる。当接部を有する軸はバネで手前側に付勢されており、グリル皿の出し入れに連動してグリル扉を開閉すると共に、グリル皿を押し込むと、当接部が焼網支持枠の規制軸を回動して焼網が上昇する。
【０００４】
特許文献３の昇降部材は、ベース枠の前後端左右に固着された支持板にそれぞれ２つの切欠孔を形成し、前後一対の支持板の切欠孔に焼網支持枠が回動可能に保持されて回動が所定の角度に規制され、各焼網支持枠下部の回動作用枠を連動アームで連結すると共に、後部焼網支持枠の回動作用枠の中央にガイドローラが取り付けられている。また、焼成庫の後壁面にガイド部材が設けられ、ガイド部材は、グリル皿を押し込むと、ガイドローラが当接して焼網支持枠の上部を上方に回動させるテーパ状の当接部と、押し込み終了時にガイドローラが下面に位置する水平案内部とから構成される。
特許文献４の昇降部材は、下部が固定され上部が上下に伸縮する上アームと下アームからなる一対の昇降アームをグリル皿の前後位置に備えている。昇降アームは逆くの字状に組み合わされ、その支持軸の孔に挿通される焼網支持枠を上下動自在に案内する縦長溝がベース枠の前後端左右に固着されたガイド枠に形成され、ガイド枠には焼網支持枠の上下動を規制するストッパーが設けられている。また、上下アームが回動自在に軸支される作用軸の孔に連動アームの両端部が挿通され、下アームが回動自在に軸支される固定軸の孔に固定部が挿通されている。更に、後側昇降アームの両側の作用軸の孔に挿通された作用枠にローラが取り付けられている。上記昇降部材は、グリル皿を押し込むと、ローラが焼成庫の後壁面に当接して上方に転動し、グリル皿を引き出すと、焼網の自重により焼網支持枠が下降する。
【特許文献１】特開平１１−２３９５３６号公報
【特許文献２】特開２０００−１３９７２４号公報
【特許文献３】特開２００１−２５８７５５号公報
【特許文献４】特開２００２−１０６８５９号公報
【発明の開示】
【発明が解決しようとする課題】
【０００５】
特許文献１〜４に開示された焼網昇降装置は、被焼成物が効率よく加熱調理され、グリル皿を引き出した時には、焼網上の被焼成物が焼成庫の開口内上端縁に接触せず、かつ被焼成物の裏返しや取り出しが円滑に行えるものである。
しかしながら、これらの焼網昇降装置は、焼網昇降機構の構造が複雑であるため、多くの部品点数を要し、コストが嵩むという問題がある。
そこで、本発明の目的は、上述の従来技術の問題点を解消することにあり、部品点数を極力削減することにより構造が簡素化された焼網昇降機構を有するグリル装置を提供することにある。
【課題を解決するための手段】
【０００６】
本発明は、被焼成物を調理するための熱源が内部に設けられ、前面に開口を有する焼成庫と、該開口を開閉するグリル扉と、焼成庫前面の開口を介して出し入れ自在に焼成庫内を移動するグリル皿と、該グリル皿上に配置され被焼成物を載置するための焼網とを備えたグリル装置において、上記焼成庫の底面後部に乗り上げ部が設けられ、かつグリル皿はその底面前部に下方への凸部が形成されていて、焼成庫内へのグリル皿の収納時にその後部が上記乗り上げ部に乗り上げると共に、上記凸部は焼成庫の底面前部に乗る第一のグリル装置によって、上述の目的が達成される。
本発明は、また、被焼成物を調理するための熱源が内部に設けられ、前面に開口を有する焼成庫と、該開口を開閉するグリル扉と、焼成庫前面の開口を介して出し入れ自在に焼成庫内を移動するグリル皿と、該グリル皿の上方に位置し被焼成物を載置するための焼網とを備えたグリル装置において、上記焼成庫の底面後部に乗り上げ部が設けられ、更にグリル扉の裏面側から後方に延びる焼網昇降枠の前端部がグリル扉裏面に固定され、該焼網昇降枠の後端部をグリル皿の後部係合部に焼網昇降枠が該係合部を中心に上下に揺動可能に係合させて、グリル扉の開閉により焼網昇降枠が上記乗り上げ部に乗り降りすることで上記焼網昇降枠が上下に揺動すると共に、焼網昇降枠上に上記焼網が配設されている第二のグリル装置によっても、上述の目的が達成される。
【０００７】
本発明の第一のグリル装置によれば、グリル皿を焼成庫から引き出すと、下方に突出するグリル皿の前部凸部が焼成庫前面の開口から前方に離れると共に、乗り上げ部上に載置されていたグリル皿の後部が乗り上げ部から下降するので、焼網から焼成庫前面の開口上端縁までの間隔が確保される。そのため、調理中の被焼成物が厚手のものであっても、その裏返しまたは調理後の被焼成物の取り出しが容易に行える。また、焼成庫内にグリル皿を押し込んだ状態では、グリル皿の後部が乗り上げ部の上に乗り上げると共に、グリル皿の前部凸部が焼成庫の前部底面上に載置されるので、焼網が焼成庫内の上壁面に接近する。その結果、焼網上の被焼成物が焼成庫内の上部のより高温域に位置するため、グリル装置の熱効率が向上し、比較的短時間に被焼成物を調理することが可能になる。
このような本発明の第一のグリル装置は、焼成庫の底面後部に乗り上げ部を設け、かつグリル皿の前部を下方に突出させたものであるから、焼網昇降機構の構造が簡素化されている。従って、従来の焼網昇降機構と比較して、その部品点数が大幅に削減される。
【０００８】
本発明の第二のグリル装置によれば、グリル扉を開けると、焼網昇降枠が焼成庫から引き出され、乗り上げ部に乗り上げていた焼網昇降枠の後部が乗り上げ部から下降するので、焼網昇降枠上に配設される焼網前部から焼成庫前面の開口上端縁までの間隔が確保される。そのため、第一のグリル装置と同様に、調理中の被焼成物が厚手のものであっても、その裏返しまたは調理後の被焼成物の取り出しが容易に行える。また、グリル扉を閉じると、焼網昇降枠の後部が乗り上げ部を上昇してその上に乗り上がるので、焼網全体が焼成庫内の上壁面に近接する。その結果、第一のグリル装置と同様に、焼網上の被焼成物が焼成庫内の最上部付近の高温域に位置するため、グリル装置の熱効率が向上し、比較的短時間に被焼成物を調理することが可能になる。
このような本発明の第二のグリル装置は、焼成庫の底面後部に乗り上げ部を設け、かつ焼網昇降枠上に焼網を配設するものであるから、焼網昇降機構の構造が大幅に簡素化される。その結果、従来の焼網昇降機構と比較して、その部品点数が大幅に削減される。また、焼網昇降枠の前端部がグリル扉の裏面側に固定され、かつその後端部をグリル皿の後部係合部に焼網昇降枠が揺動可能に係合させているため、グリル扉を開けると、グリル皿も焼成庫前面の開口から引き出すことが可能である。
【発明の効果】
【０００９】
本発明の第一のグリル装置は、焼成庫の底面後部に乗り上げ部を設け、かつグリル皿の前部に下方に突出する凸部を形成した焼網昇降機構を備えている。また、第二のグリル装置は、焼成庫の底面後部に乗り上げ部を設け、かつグリル扉の開閉により焼網昇降枠が上下に揺動する焼網昇降機構を備えている。そのため、焼網昇降機構の構造が簡素化され、従来のものと比較して、部品点数を大幅に削減することができるので、焼網昇降機構のコストダウンが図れるだけでなく、その組立作業が容易である。
【発明を実施するための最良の形態】
【００１０】
以下、図面を参照して本発明を詳細に説明する。
図１は本発明のグリル装置が組み込まれたガステーブルを示す。図中の符号１は、ガステーブルの天板２の開口に臨む一対のガスバーナとその周囲の天板２上に載置される五徳３を有するコンロ部を示す。ガステーブルの幅方向中央部には本発明のグリル装置ＡまたはＢが組み込まれていて、その前面に開口が形成されている。この開口は通常グリル扉４で閉塞され、グリル扉４の前面下部に把手５が取り付けられている。
ガステーブル前面の操作パネル６の左右には、上記一対のバーナ及びグリル装置ＡまたはＢに装着されるガスバーナの点火・消火を行う操作子７ａ，７ｂ，７ｃが配置されている。これらの操作子７に対応して、その上方の操作パネル６にスリットを通して火力調整用レバー８ａ，８ｂ，８ｃが配置されている。また、天板２後部の中央部には、グリル装置ＡまたはＢのガスバーナから生じる燃焼排ガスを外部に排出する排気出口９が幅方向に配置されている。
【００１１】
次に、図２，３に基づき本発明の第一のグリル装置について説明する。
第一のグリル装置Ａの本体内部には、金属製筺体からなる焼成庫１０が形成されている。焼成庫１０上部の左右側壁には、表面燃焼式の前記ガスバーナ(熱源)１１が水平方向に取り付けられ、バーナ１１の燃焼により被焼成物Ｆが焼成調理される。被焼成物Ｆはグリル皿１２に係止される焼網１３上に載置された状態で調理される。各ガスバーナ１１は、多孔質セラミック製であり、燃料ガスと一次空気とが所定の比で混合された混合ガスを燃焼する方式のもので、燃焼時には表面が赤熱する。このようなガスバーナ１１は、その高さ方向に関して焼成庫１０の側壁に沿って垂直に配置しても、あるいはバーナ面をやや上向きまたはやや下向きに傾斜して配置してもよい。中でも、燃焼ガスによる加熱に加えて、上方からの輻射熱で被焼成物Ｆを加熱する天井１０Ｔに下向きに配置することが好ましい。
焼成庫１０の後部には仕切壁１４が垂下し、仕切壁１４の下端と焼成庫１０の底板（底面）１０Ｓから上方に屈曲した下部後壁１０Ｋの上端の間に排気口１５が形成される。仕切壁１４と上記下部後壁から屈曲して上方に延びる後壁１０Ｏとで囲まれる空間が排気室１６となり、排気室１６の上面部に前記排気出口９が位置する。
前述したように、焼成庫１０の前面には開口１７が形成され、被焼成物Ｆの調理時には開口１７はグリル扉４により閉塞される。グリル扉４は、外部から焼成庫１０内を観察するための上部透明耐熱ガラス４ａと、耐熱性金属枠４ｂとから構成される。金属枠４ｂ下部の裏面両側部にはカシメによりスイングアーム１８の前端部が固着され、アーム１８の後部はグリル皿１２の後部に係合する。把手５は前後動自在であり、連結部材１９を介して、スイングアーム１８が上下にスイングするように上下揺動自在にグリル皿１２後部の両側部に係合する。
【００１２】
焼網１３は、図３(Ａ)に示されるように、矩形状の金属線枠と下方にやや湾曲した複数本の金属細線とから構成される。前後の金属線枠には支脚２０が取り付けられ、前側左右の支脚２０下端に差込片２０ａ及び後側の支脚２０下端に差込片２０ｂを形成している。
グリル皿１２は、被焼成物Ｆから垂れてくる脂や汁を受けるために配設され、図３(Ｂ)に示されるように、上端外周縁に鍔部１２ａを有する比較的浅い皿から構成され、後述の焼成庫１０の底板１０Ｓに設けられる乗り上げ部と協同して焼網１３を昇降させる凸部２１が、前端部の幅方向に下方に突出して形成されている。鍔部１２ａは、その左右両側部に直交する後部両端部分が切り欠かれている。前後の鍔部１２ａには、上記各差込片２０ａ，２０ｂが挿通するスリット孔２２ａ，２２ｂが穿設されている。また、グリル皿１２の両側壁上部には前後一対のピン２３が突設されている。一方、把手５の裏面両側部には板状の前記連結部材１９が固着されている。各連結部材１９は、グリル扉４の両側面から離間して内側に屈曲し更に直角に屈曲して後方に延びている。この後方に延びる部分は、前方部分より高さ幅が広く、グリル皿１２の上下動を許容するガイド部１９ａとして形成されている。即ち、各連結部材１９間の間隔はグリル皿１２の幅より僅かに広い程度であり、各ガイド部１９ａの前後部に上記ピン２３が挿通し外側に僅かに抜け出る縦長孔２４が穿設されている。
グリル扉４に固着される前記スイングアーム１８は、図３(Ｃ)に示すように、コ字状に折り曲げられた線材で構成される。アーム１８の後辺部は、上方に突出する２つの山部２５が左右に形成されている。また、グリル皿の後部鍔部１２ａには上記各山部２５が係合する係合穴(係合部)２６が開設されていて、アーム１８はこの山部２５の係合穴２６への係合により上下に揺動できるようになっている。そして、アーム１８の両側辺部は、手前側に下降していて、ガイド部１９ａ外面から若干離間してグリル扉４と結合している。
【００１３】
焼成庫１０の底板１０Ｓ後部には、図４に示すように、前記凸部２１と協同して焼網昇降機構を構成する乗り上げ部２７が左右に並設されている。乗り上げ部２７は、焼成庫１０の手前側に下降傾斜する前傾斜部２７ａと水平な後水平部２７ｂとから構成される。前傾斜部２７ａはグリル皿１２を出し入れする際に比較的スムーズに昇降させる作用がある。
グリル皿１２の出し入れ操作を円滑に行うため、前記バーナ１１より下方の焼成庫１０の両側壁中央部に、開口１７から後水平部２７ｂの上方近くまで延びる水平なガイド溝２８が凹設されている。ガイド溝２８は開口１７側端部を幅広としている。一方、連結部材の各ガイド部１９ａ上端近傍には、ガイド溝２８に遊嵌する突片２９が設けられている。ここで、グリル皿１２を焼成庫１０から引き出した時（図５Ａ）は、前記ピン２３が縦長孔２４の下端に当接する。また、グリル皿１２を焼成庫１０内に収納した時（図５Ｃ）は、グリル皿１２底面の後端部が乗り上げ部の後水平部２７ｂ上に載置され、同時にグリル皿前端部の凸部２１の底面が焼成庫１０の底板１０Ｓ前部に載置され、ピン２３は上昇して縦長孔２４の上端に当接する。
グリル皿１２を収納した時にグリル皿１２及び焼網１３が水平姿勢を保持するためには、グリル皿の凸部２１前面側と乗り上げ部の前傾斜部２７ａとの傾斜構造がほぼ同一であることが好ましい。更に、乗り上げ部２７の高さは、グリル皿の凸部２１の高さと実質的に同一であることが好ましい。
【００１４】
更に、グリル皿１２の後部には、下方へ突出する凸条３０が幅方向に刻設されている。凸条３０は、前端面がグリル皿１２の底面から下方に垂直に屈曲していて、その幅を左右の乗り上げ部２７の間隔より短くしている。一方、底板１０Ｓ前部には後方を低くした段部３１が形成され、グリル皿１２を焼成庫１０内から引き出す時、段部３１はグリル皿１２の凸条３０を係止するストッパーとして機能する。また、グリル皿１２を出し入れする際にグリル皿１２の凸部２１がスムーズに摺動するよう、焼成庫１０前面の開口の下端縁１７ａに手前側に下降する傾斜またはアールをもたせておくことが好ましい。
本発明のグリル装置Ａにおいては、排気口１５の上端縁が焼網１３とほぼ同じ高さに位置することが好ましい。これにより、被焼成物Ｆは仕切壁１４により排気の滞留する高温域近くに位置することとなり、ガスバーナ１１のガス消費量を少なくすることができて、グリル装置Ａの熱効率が向上する。このように、ガスバーナ１１のガス消費量を少なくできることにより、グリル皿１２内に水を張る必要がなくなる。
【００１５】
次に、図５に基づきグリル皿１２の出し入れ動作について説明する。
図５(Ａ)はグリル皿１２を焼成庫１０内から引き出した状態を示し、図６はその拡大図である。グリル皿１２が引き出された状態では、前端部にグリル扉４を有するスイングアーム１８は、その後辺部の各山部２５がグリル皿の後部鍔部１２ａに形成された係合穴２６に係合している。このアーム１８は、係合穴２６を中心に揺動して自重により焼成庫１０の開口１７より前方に下降している。
他方、把手５に連結された連結部材１９の突片２９後部が焼成庫１０の両側壁に凹設されたガイド溝２８に遊嵌して、グリル皿１２は水平状態に保たれている。同時に、ピン２３がガイド部１９ａの縦長孔２４の下端に当接しているため、焼網１３から焼成庫前面の開口１７上端縁までの間隔が確保される。また、グリル皿１２は、その凸条３０が底板１０Ｓ前部に形成された段部３１に当接して、連結部材１９を介して焼成庫１０前部の底板上に支持される。
なお、焼成庫１０からグリル皿１２を引き抜く場合は、開口１７側のガイド溝２８を幅広とているので、グリル皿１２の先端部を持ち上げて凸条３０と段部３１との係合を解除することにより行われる。また、グリル皿１２を清掃する場合など、連結部材１９からグリル皿１２を分離させる場合は、例えば、グリル皿１２の一側を持ち上げながらその他側を下方に押し込むようにして他側々の一対のピン２３を縦長孔２４から抜き出した後、グリル皿１２の他側を更に下方に押し下げて、グリル皿１２の一側々の一対のピン２３を縦長孔２４から抜き出すことにより行われる。
【００１６】
図５(Ａ)に示す状態から、グリル皿１２上の焼網１３に被焼成物Ｆを載置して把手５でグリル皿１２を押し込むと、図５(Ｂ)に示されるように、突片２９がガイド溝２８に案内されて、グリル皿１２の後端が乗り上げ部の前傾斜部２７ａに到達する。その間、スイングアーム１８の両側辺部が焼成庫１０内に引き込まれる際にグリル扉４は上昇する。
把手５を更に押し込むと、グリル皿１２は、その凸部２１底面の傾斜及び前傾斜部２７ａに沿って上昇する。グリル皿１２の上昇に伴って、ピン２３が縦長孔２４の下端を離れて次第に上昇する。グリル皿１２の後端が乗り上げ部の後水平部２７ｂに乗り上げると、凸部２１の底面も焼成庫１０の底板１０Ｓに乗り上げ、ピン２３が縦長孔２４の上端に当接する。この状態でグリル皿１２を押し込むと、図５(Ｃ)に示されるように、グリル扉４が開口１７を閉塞し、グリル皿１２は底板１０Ｓ前部及び後水平部２７ｂ上に水平に載置される。そして、グリル皿１２及び焼網１３の収納操作が完了し、焼網１３上の被焼成物Ｆは焼成庫１０内の高温域に配置される。
焼成庫１０内に収納されたグリル皿１２を引き出す時は、上述の部材が逆の順序で動作して、図５(Ａ)に示す状態に戻る。
【００１７】
本発明の第一のグリル装置Ａにおいては、焼成庫１０後部中央の底板１０Ｓに乗り上げ部２７を１個だけ設けてもよい。その場合、グリル皿の凸条３０が乗り上がる後水平部２７ｂの前部分を凸条３０の深さ分だけ低くした水平面とする必要がある。あるいは、凸条３０が乗り上げ部２７上に乗り上げないよう、凸条３０をグリル皿１２後部の両側部に形成してもよい。
グリル皿１２の前端部の幅方向に下方に突出して形成された凸部２１は、図３(Ｂ)に示す構造のものに以外にも、例えば上記幅方向の中央部に１つまたは左右に２つ等複数形成してもよく、あるいは、グリル皿１２の前端部を下方に窪ませた凸部に代えて、棒状のＵ字状部材に置き換えることもできる。また、凸部２１をグリル皿１２の前端部に必ずしも形成する必要はなく、グリル皿１２を焼成庫１０内から引き出した時（図６参照）、焼成庫１０から抜け出る位置のグリル皿１２底面に凸部２１があればよい。
グリル皿１２を焼成庫１０から引き出した状態で例えば清掃する場合に、グリル皿１２が容易に取り出せるよう、ピン２３が挿通する縦長孔２４の上端をガイド部１９ａの上端まで切り欠いておくことが好ましい。更に、左右の連結部材１９間を所定の間隔に保持するために、グリル皿１２の後方に迂回するコ字状の板状枠部材でガイド部１９ａの後端部を連結させることができる。
【００１８】
図７，８を参照して更に本発明の第二のグリル装置について説明する。なお、第一のグリル装置Ａと同じか同様の機能を有する第二のグリル装置の構成部材には同じ符号を用い、可能な限り簡素に説明することにする。
第二のグリル装置Ｂの本体内部には焼成庫１０が形成されている。焼成庫１０上部の左右側壁には、熱源としての表面燃焼式ガスバーナ１１が水平方向に取り付けられ、バーナ１１の燃焼により被焼成物Ｆが焼成調理される。被焼成物Ｆはグリル皿１２上方の焼網１３上に載置された状態で調理される。焼成庫１０の後部には仕切壁１４が垂下し、仕切壁１４の下端と焼成庫１０の底板１０Ｓから上方に屈曲した下部後壁１０Ｋの上端の間に排気口１５が形成される。仕切壁１４と焼成庫１０の後壁１０Ｏとで囲まれる空間からなる前記排気室１６の上面部に排気出口９が位置する。
焼成庫１０の前面には開口１７が形成され、その前面側にグリル扉４が設けられる。グリル扉４は、上部透明耐熱ガラス４ａと耐熱性金属枠４ｂとから構成され、その前面下部に把手５が一体に設けられる。金属枠４ｂ下部の裏面両側部には、概略コ字状に折り曲げられた棒状部材で構成される焼網昇降枠４１が固着されている。この焼網昇降枠４１は、その両側辺の前部に脚部４２及び後部に下方に湾曲する湾曲部４３が形成され、脚部４２の高さを湾曲部４３より高くしている。また、焼網昇降枠４１は、その後辺がグリル皿１２に係合可能である。
【００１９】
焼網１３は、前述したものと同様に構成され、焼網固定用部材４４を介して焼網昇降枠４１の両側辺に連結される。即ち、第二のグリル装置Ｂでは、焼網１３が焼網昇降枠４１と一体化されている。焼網昇降枠４１は、その両側辺部がグリル皿１２の両側面から若干離間するようにグリル扉４に取り付けられ、従ってその間隔をグリル皿１２の幅寸法より若干広くしている。
グリル皿１２は、焼成庫１０内を出し入れ自在に配置され、上端外周縁に鍔部１２ａを有する。その後部鍔部１２ａには一対の係合穴２６が開設されている。一方、焼網昇降枠４１の後辺部には上方に突出する左右一対の山部４５が形成され、各山部４５がかなりの自由度をもって上記係合穴２６に係合する。また、グリル皿の左右鍔部１２ａの前後部には長溝４６が切り欠かれ、その一端が左右鍔部１２ａの側縁に開口している。この開口部は、本実施例では長溝４６の前端部側に設けられている。
焼網昇降枠４１との固着部より少し上方のグリル扉の金属枠４ｂ裏面には、グリル皿支持片４７が固設されている。この支持片４７によって、グリル皿１２を焼成庫１０から抜き出した時、山部４５が形成された焼網昇降枠４１の後辺と協同して、グリル皿の前部及び後部鍔部１２ａがそれぞれグリル扉４及び焼網昇降枠４１に支持される。
【００２０】
焼成庫１０の底板１０Ｓ後部には、図８に示すように、焼網昇降枠４１及びその脚部４２と協同して焼網昇降機構を構成する乗り上げ部２７が左右に並設されている。乗り上げ部２７は、焼成庫１０の手前側に下降傾斜する前傾斜部２７ａと水平な後水平部２７ｂとから構成される。各乗り上げ部２７の内側側面間の間隔は、調理時にグリル皿１２の後部が乗り上げ部２７間に位置するよう、グリル皿１２の幅より多少広くしている。
また、グリル皿１２後部の幅方向中央部には、下方へ突出する凸条３０が幅方向に刻設されている。一方、底板１０Ｓ前部には後方を低くした段部３１が形成され、グリル皿１２を焼成庫１０内から引き出す時、段部３１は凸条３０を係止するストッパーとして機能する。更に、焼成庫１０の前面開口の下端縁１７ａには、焼網昇降枠４１がスムーズに出し入れできるように、手前側に下降する傾斜部が形成されている。
グリル皿１２の出し入れ操作を円滑に行うと共に、引き出した時にグリル皿１２が焼成庫１０に支持されるように、開口１７の後方から両側壁の中間部にまで延びるガイド突辺４８が、前記バーナ１１より下方の焼成庫１０の両側壁に水平に突設されている。ガイド突辺４８の下面とグリル皿上面の左右鍔部１２ａとは多少の間隔が設けられる。
本実施例では、焼網昇降枠４１を焼成庫１０内に収納した際、焼網１３を水平姿勢に保持させるために、湾曲部４３が後水平部２７ｂ上に乗り上げた時の湾曲部４３の高さ分だけ、脚部４２の高さを乗り上げ部２７の高さより高く形成している。また、脚部４２と乗り上げ部の前傾斜部２７ａとの傾斜構造はほぼ同一であることが好ましい。
【００２１】
以上のような第二のグリル装置Ｂにおける焼網１３の出し入れ動作について、図９を参照して説明する。
図９(Ａ)は焼網昇降枠４１を焼成庫１０内から引き出した状態を示している。この状態では、グリル皿の左右鍔部１２ａの後部がガイド突辺４８の下面に当接して、グリル皿１２が底板１０Ｓ上に水平状態に支持されている。一方、グリル扉４に連結された焼網昇降枠４１は、その後辺部の各山部４５がグリル皿の後部鍔部１２ａに形成された係合穴２６に係合している。この焼網昇降枠４１は、係合穴２６を中心に揺動して自重により焼成庫１０の前面開口１７より前方に下降している。そのため、被焼成物Ｆを載置するための焼網１３はその後部が前部より高くなっているものの、焼網１３から開口１７の上端縁までの間隔は確保されている。
グリル皿１２を清掃する場合など、グリル皿１２を焼網昇降枠４１から脱着させる場合は、焼網昇降枠４１を焼成庫１０から抜き出して、グリル皿１２の一側辺を持ち上げると、焼網固定用部材４４の長溝４６との遊嵌及び係合穴２６の山部４５との係合状態がそれぞれ解除されるので、焼網昇降枠４１からグリル皿１２を分離することができる。また、グリル皿１２を焼網昇降枠４１に組み込むには、グリル皿１２の一側辺を下方に傾けて、一側々の各長溝４６内に上記焼網固定用部材４４を遊嵌させると共に一方の係合穴２６を山部４５に係合させた後、他側辺を降下させて同様に係合及び遊嵌させることにより行われる。
【００２２】
次に、焼網１３に被焼成物Ｆを載置して把手５でグリル扉４を押し込むと、図９(Ｂ)に示されるように、グリル皿の左右鍔部１２ａがガイド突辺４８に案内されて、焼網昇降枠４１の湾曲部４３が前傾斜部２７ａ上に乗り上がる。その間、焼網昇降枠４１の両側辺部が焼成庫１０内に引き込まれる際に、上記係合穴２６が山部４５に係止されているので、グリル皿１２が焼成庫１０内に引き込まれると共にグリル扉４が上昇する。
グリル扉４を更に押し込むと、焼網昇降枠４１は、後部湾曲部４３が乗り上げた前傾斜部２７ａ及び後水平部２７ｂに沿って上昇する。更に、前部脚部４２の底面が底板１０Ｓ上に乗り上がると、焼網１３が焼成庫１０内でほぼ水平姿勢に保持される。この状態で押し込み動作を継続すると、図９(Ｃ)に示されるように、グリル扉４が開口１７を閉塞する。そして、焼網１３の収納操作が完了すると、焼網１３が水平姿勢に保持されると共に、焼網１３上の被焼成物Ｆが焼成庫１０内の高温域に位置する。
焼成庫１０内に収納された焼網１３を引き出す時は、上述の部材が逆の順序で動作することにより、図９(Ａ)に示す状態に戻る。
【００２３】
本発明の第二のグリル装置Ｂにおいては、グリル皿の左右鍔部１２ａの前後部に形成される前記長溝４６に代えて、左右鍔部１２ａの外側側縁部に放射状または矩形状に開口する切欠部としてもよい。また、焼網昇降枠４１上に配設される焼網１３は、実施例では焼網昇降枠４１と一体化された例を示したが、焼網昇降枠４１上端部に線状の枠体を形成して、その上に焼網１３を載置することができる。
第二のグリル装置Ｂにおいて、上記載置型とは別に、焼網１３と焼網昇降枠４１とを分離型とすることもできる。具体的には、焼網固定用部材４４の上端部を焼網１３の下面に設けた係止孔に挿抜自在として、掃除などの際に焼網１３を焼網固定用部材４４から取り外すことにより、グリル皿１２を焼網昇降枠４１の上方へ外すことができる。この場合、長溝４６におけるグリル皿の左右鍔部１２ａの側縁に開口する切欠部を設けることなく、長溝４６は焼網固定用部材４４の単なる挿通孔としてもよい。
焼網昇降枠４１に湾曲部４３を必ずしも設ける必要はないが、前後に移動させる時の焼網昇降枠４１と焼成庫１０底面との摩擦抵抗を小さくするためには、湾曲部４３を設けておくことが好ましい。なお、湾曲部４３を設けない場合は、乗り上げ部２７の高さと焼網昇降枠４１の脚部４２の高さとを実質的に同一として、焼網昇降枠４１を焼成庫１０内に収納した時に焼網１３を水平姿勢に保持することが好ましい。
【００２４】
更に、本発明の変更例を示すと次の通りである。
グリル装置Ａ，Ｂの例として、焼成庫１０に取り付けられるガスバーナ１１を面状発熱体等の電気ヒータに置き換えることができる。また、熱源としてのガスバーナ１１または電気ヒータを焼成庫１０内の天井１０Ｔ面に配設してもよい。
焼網昇降機構の乗り上げ部２７として、焼成庫１０の底板をプレス加工により膨出させた例を示したが、別体の乗り上げ部２７を底板上に取り付けることができる。
【産業上の利用可能性】
【００２５】
本発明は、焼成庫内の焼網上で焼成調理するグリル皿を備えたタイプのグリル装置に適用される。このようなグリル装置としては、焼成庫が組み込まれたガステーブルや図１に示すコンロ部等を省略したグリル装置単品などが挙げられる。また、ガステーブルとしては、ビルトイン式ガスコンロであってもよい。
【図面の簡単な説明】
【００２６】
【図１】本発明のグリル装置が組み込まれたガステーブルの一例を示す斜視図である。
【図２】本発明の第一のグリル装置の側断面図である。
【図３】(Ａ)〜(Ｃ)は、それぞれ図２に示す第一のグリル装置における焼網、把手に連結された連結部材とグリル皿、及びグリル扉に固定されたスイングアームの分解斜視図である。
【図４】図２に示す第一のグリル装置における焼成庫内部の部分斜視図である。
【図５】(Ａ)〜(Ｃ)はグリル皿の出し入れ動作の概要を説明する第一のグリル装置の側断面図である。
【図６】グリル皿を引き出した状態を示す図５(Ａ)の拡大図である。
【図７】本発明の第二のグリル装置の側断面図である。
【図８】図７に示す第二のグリル装置における焼成庫内部の部分斜視図である。
【図９】(Ａ)〜(Ｃ)は焼網及びグリル皿の出し入れ動作の概要を示す第二のグリル装置の側断面図である。
【符号の説明】
【００２７】
４・・・ グリル扉、５・・・ 把手、１０・・・ 焼成庫、１０Ｔ・・・ 底板（底面）、１１・・・ ガスバーナ（熱源）、１２・・・ グリル皿、１３・・・ 焼網、１７・・・ 開口、１８・・・ スイングアーム、１９・・・ 連結部材、２１・・・ 凸部、２４・・・ 縦長孔（ガイド孔）、２６・・・ 係合穴（係合部）、２７・・・ 乗り上げ部、２７ａ・・・ 前傾斜部、２７ｂ・・・ 後水平部、４１・・・ 焼網昇降枠、Ａ，Ｂ・・・ グリル装置、Ｆ・・・ 被焼成物。
【図１】
2005080928.tif 000003
【図２】
2005080928.tif 000004
【図３】
2005080928.tif 000005
【図４】
2005080928.tif 000006
【図５】
2005080928.tif 000007
【図６】
2005080928.tif 000008
【図７】
2005080928.tif 000009
【図８】
2005080928.tif 000010
【図９】
2005080928.tif 000011